(57)【要約】      （修正有）【課題】カスタマイズ可能な組み立て式発光モジュールを提供する。【解決手段】発光モジュールは、ベースユニット１ａと、発光ユニット２ａと、レンズユニット４ａとを備える。ベースユニットは、放熱ベース１０ａと、それぞれ放熱ベースの幅方向における両端から上へ延伸する２つの第１係止構造１１ａとを備える。発光ユニットは放熱ベース上に着脱可能に設置される。レンズユニットは、レンズ４０ａと、それぞれ前記レンズの幅方向における両端に形成された２つの第２係止構造４１ａとを有し、レンズユニットは、２つの第１係止構造と２つの第２係止構造との嵌合により、発光ユニットの上方に着脱可能に設置される。これによって、ベースユニット、発光ユニット及びレンズユニットは、ユーザのニーズに応じて交換できる。【選択図】図１
0003151288.tif 000002
【実用新案登録請求の範囲】
【請求項１】
放熱ベースと、それぞれ前記放熱ベースの幅方向における両端から上へ延伸する２つの第１係止構造とを備えるベースユニットと、
前記放熱ベースに着脱可能に設置され、基板と前記基板に電気的に接続される複数の発光素子とを有する発光ユニットと、
レンズと、それぞれ前記レンズの幅方向における両端に形成される２つの第２係止構造とを有し、前記２つの第１係止構造と前記２つの第２係止構造との嵌合により、前記発光ユニットの上方に着脱可能に設置されるレンズユニットと、を含むことを特徴とするカスタマイズ可能な組み立て式発光モジュール。
【請求項２】
さらに、複数の発光素子を備え、前記基板は、複数のねじ素子に対応する複数の貫通孔を有し、且つ、前記複数のねじ素子は、対応する貫通孔を通して前記基板を前記放熱ベース上に締め付けて固定させることを特徴とする請求項１に記載のカスタマイズ可能な組み立て式発光モジュール。
【請求項３】
さらに、前記放熱ベースと前記基板との間に成形される放熱用コンパウンド、或いは、前記放熱ベースと前記基板との間に設置される放熱用テープを含み、また、それぞれ前記ベースユニットの長手方向における両端を閉鎖する２つのカバー部材を有し、前記各カバー部材は、カバー本体と、前記カバー本体から突出しかつ前記２つの第１係止構造の間に密接に嵌合される突出部とを備えることを特徴とする請求項１に記載のカスタマイズ可能な組み立て式発光モジュール。
【請求項４】
前記２つの第１係止構造は、それぞれ内向きに開口する第１スライド溝構造であり、前記２つの第２係止構造は、それぞれ外向きに開口する第２スライド溝構造であり、且つ、前記２つの第１スライド溝構造と前記２つの第２スライド溝構造とは、互いに摺動可能に嵌合され、各第１係止構造の外側に凹み係止部を有し、前記ベースユニットは、前記２つの凹み係止部により逆さにした状態でフックユニット内に係止されることを特徴とする請求項１に記載のカスタマイズ可能な組み立て式発光モジュール。
【請求項５】
放熱ベースと、それぞれ前記放熱ベースの幅方向における両端に形成される２つの第１係止構造とを備えるベースユニットと、
前記放熱ベースに着脱可能に設置される発光ユニットと、
レンズと、それぞれ前記レンズの幅方向における両端から下へ延伸する２つの第２係止構造とを有し、前記２つの第１係止構造と前記２つの第２係止構造との嵌合により、前記発光ユニットの上方に着脱可能に設置されるレンズユニットとを含むことを特徴とするカスタマイズ可能な組み立て式発光モジュール。
【考案の詳細な説明】
【技術分野】
【０００１】
本考案は、発光モジュールに関り、特に、ユーザのニーズに応じて放熱ベース、発光素子及びレンズを交換できるカスタマイズ可能な組み立て式発光モジュールに関するものである。
【背景技術】
【０００２】
従来の照明設備は、ユーザの要する光源を提供し、例えば、単なる照明または室内環境の美化に用いられている。しかしながら、従来の照明設備は、いずれも所定規格（所定の放熱効果や発光効果または投光角度）であるので、一旦、ユーザが選定した後、他の部品を交換できなくなる。そのため、従来の照明設備は、あらゆる交換または変化可能な融通性を備えていない。
【考案の概要】
【考案が解決しようとする課題】
【０００３】
本考案の主な目的は、カスタマイズ可能な組み立て式発光モジュールを提供することにある。本考案に係るカスタマイズ可能な組み立て式発光モジュールは、ユーザのニーズに応じて自由に交換できるベースユニットと、発光ユニットと、レンズユニットとを備える。そのため、本考案に係るカスタマイズ可能な組み立て式発光モジュールは、「所要放熱効果の違い」に従ってベースユニットを交換したり、「所要発光効果の違い」に従って発光ユニットを交換したり、「所要投光角度の違い」に従ってレンズユニットを交換することができる。
【課題を解決するための手段】
【０００４】
前記技術問題を解決するため、本考案によるカスタマイズ可能な組み立て式発光モジュールは、ベースユニットと、発光ユニットと、レンズユニットとを備える。ベースユニットは、放熱ベースと、それぞれ前記放熱ベースの幅方向における両端から上へ延伸する２つの第１係止構造とを備える。発光ユニットは前記放熱ベース上に着脱可能に設置される。レンズユニットは、レンズと、それぞれ前記レンズの幅方向における両端に形成された２つの第２係止構造とを有し、レンズユニットは、前記２つの第１係止構造と前記２つの第２係止構造との嵌合により、前記発光ユニットの上方に着脱可能に設置される。
【０００５】
本考案が所定の目的を達成するため採択した技術、手段及び効果をさらに了解させるため、以下に本考案に関る詳しい説明及び添付図面を参照することにより、本考案の目的、特徴及び特点に対し、深く且つ具体的な了解を得られるが、それらの添付図面は参考及び説明のみに使われ、本考案の主張範囲を狭義的に局限するものではないことは言うまでもないことである。
【考案の効果】
【０００６】
本考案に係るカスタマイズ可能な組み立て式発光モジュールは、「所要放熱効果の違い」に従ってベースユニットを交換したり、「所要発光効果の違い」に従って発光ユニットを交換したり、「所要投光角度の違い」に従ってレンズユニットを交換することができる。
【図面の簡単な説明】
【０００７】
【図１】本考案の実施例１を示す分解斜視図である。
【図２】同上を示す組み立て斜視図である（一対のカバー部材を外した状態である）。
【図３】同上を示す側面図である。
【図４】同上によるベースユニットがフックユニット内に係止される状態を示す図である。
【図５】同上による他のレンズユニットを用いる場合を示す側面図である。
【図６】本考案の実施例２を示す分解斜視図である。
【図７】同上を示す組み立て斜視図である（一対のカバー部材を外した状態である）。
【図８】同上を示す側面図である。
【図９】同上によるベースユニットがフックユニット内に係止される状態を示す図である。
【考案を実施するための形態】
【０００８】
（実施例１）
図１〜図４に示すように、本考案の実施例１によるカスタマイズ可能な組み立て式発光モジュールは、ベースユニット１ａと、発光ユニット２ａと、複数のねじ素子３ａと、レンズユニット４ａと、２つのカバー部材５ａとを含む。
【０００９】
ベースユニット１ａは、放熱ベース１０ａと、それぞれ放熱ベース１０ａの幅方向における両端から上へ延伸する２つの第１係止構造１１ａとを備え、かつ、各第１係止構造１１ａの外側に、凹み係止部１１０ａを有する。また、放熱ベース１０ａの底部に複数の放熱フィン１００ａを有するが、これらの放熱フィン１００ａは、単に例を挙げるためのものに過ぎず、本考案は、異なる設計要求に応じて、異なる形状や配列方式、サイズまたは数量の放熱フィンを用いることができる。そのため、本考案は、ユーザの要する放熱効果に伴い異なる放熱ベースを選ぶことができる。
【００１０】
また、発光ユニット２ａは、基板２０ａと、基板２０ａに電気的に接続された複数の発光素子２１ａを備える。さらに、基板２０ａは、これらのねじ素子３ａに対応する複数の貫通孔２００ａを有し、且つ、各ねじ素子３ａは、それぞれ対応する貫通孔２００ａを通して基板２０ａを放熱ベース１０ａ上に締め付けて固定する。また、発光ユニット２ａの熱（これらの発光素子２１ａからの熱）が放熱ベース１０ａに伝達される効率を向上させるため、本考案は、さらに、放熱ベース１０ａと基板２０ａとの間に成形（例えば、塗布やプリントの方式）された放熱用ゲル状物Ａ、或いは、放熱ベースと基板との間に設置（例えば、貼付方式）された放熱用テープ（図示せず）を含む。
【００１１】
また、レンズユニット４ａは、レンズ４０ａと、それぞれレンズ４０ａの幅方向における両端に形成された２つの第２係止構造４１ａとを有し、且つ、前記２つの第２係止構造４１ａは、前記２つの第１係止構造１１ａに対応する。そのため、レンズユニット４ａは、前記２つの第１係止構造１１ａと前記２つの第２係止構造４１ａとの嵌合により、発光ユニット２ａの上方に着脱可能に設置される。実施例１では、前記２つの第１係止構造１１ａは、それぞれ内向きに開口する第１スライド溝構造であり、前記２つの第２係止構造４１ａは、それぞれ外向きに開口する第２スライド溝構造であり、且つ、前記２つの第１スライド溝構造と前記２つの第２スライド溝構造とは、互いに摺動可能に嵌合される。
【００１２】
また、２つのカバー部材５ａは、それぞれ、ベースユニット１ａの長手方向における両端を閉鎖し、且つ、各カバー部材５ａは、カバー本体５０ａと、カバー本体５０ａから突出しかつ前記２つの第１係止構造１１ａの間に密接に嵌合される突出部５１ａとを備える。
【００１３】
図３に示すように、発光素子２１ａからの出射光Ｓは、レンズ４０ａを透過して所定の投光角度のある投射光Ｐ１が投射される。そのため、本考案は、ユーザが所要する投光角度に応じて異なるレンズを選ぶことができる。
【００１４】
図４に示すように、ベースユニット１ａは、２つの凹み係止部１１０ａにより逆さにした状態でフックユニット６ａ内に係止される。例えば、ユーザが天井板（壁やあらゆる物体であっても良い）に本考案によるカスタマイズ可能な組み立て式発光モジュールを設置する場合、前記２つの凹み係止部１１０ａをそれぞれ前記天井板に予め固定されたフックユニット６ａの２つのフック構造６０ａに係止させることで、ベースユニット１ａが逆さにした状態で２つのフック構造６０ａの間に係止され、そのうち、放熱ベース１０ａはフックユニット６ａに内蔵され、レンズ４０ａはフックユニット６ａの外部に露出される。そのため、発光素子２１ａからの出射光Ｓは、レンズ４０ａを透過して下へ投光する方式でユーザが必要とする照明効果（所定の投光角度のある投射光Ｐ１を投射）を発生し、且つ、レンズ４０ａの交換に合わせて異なる投光角度を得られる。
【００１５】
図５に示すように、図５において、実施例１の元のレンズ４０ａは、他のレンズＬに交換され、発光素子２１ａからの出射光Ｓは、レンズＬを透過して所定の投光角度のある投射光Ｐ２が投射される。
【００１６】
（実施例２）
図６〜図９に示すように、本考案の実施例２によるカスタマイズ可能な組み立て式発光モジュールは、ベースユニット１ｂと、発光ユニット２ｂと、複数のねじ素子３ｂと、レンズユニット４ｂと、２つのカバー部材５ｂとを含む。
【００１７】
ベースユニット１ｂは、放熱ベース１０ｂと、それぞれ放熱ベース１０ｂの幅方向における両端に形成された２つの第１係止構造１１ｂとを備える。また、放熱ベース１０ｂの底部に複数の放熱フィン及び放熱体１００ｂを有する。
【００１８】
また、発光ユニット２ｂは、基板２０ｂと、基板２０ｂに電気的に接続された複数の発光素子２１ｂを備える。さらに、基板２０ｂは、これらのねじ素子３ｂに対応する複数の貫通孔２００ｂを有し、且つ、各ねじ素子３ｂは、対応する貫通孔２００ｂを通して基板２０ｂを放熱ベース１０ｂ上に締め付けて固定する。また、発光ユニット２ｂの熱（これらの発光素子２１ｂからの熱）が放熱ベース１０ｂに伝達される効率を向上させるため、本考案は、さらに、放熱ベース１０ｂと基板２０ｂとの間に成形（例えば、塗布及びプリントの方式）放熱用ゲル状物Ａ、或いは、放熱ベースと基板との間に設置（例えば、貼付方式）された放熱用テープ（図示せず）を含む。
【００１９】
また、レンズユニット４ｂは、レンズ４０ｂと、それぞれレンズ４０ｂの幅方向における両端から下へ延伸する２つの第２係止構造４１ｂとを有し、且つ、前記２つの第２係止構造４１ｂの内側に、凹み係止部４１０ｂを有する。また、前記２つの第２係止構造４１ｂは前記２つの第１係止構造１１ｂに対応するので、レンズユニット４ｂは、前記２つの第１係止構造１１ｂと前記２つの第２係止構造４１ｂとの組み合わせにより、発光ユニット２ｂの上方に着脱可能に設置される。実施例２では、前記２つの第１係止構造１１ｂは、それぞれ内向きに開口する第１スライド溝構造であり、前記２つの第２係止構造４１ｂは、それぞれ外向きに開口する第２スライド溝構造であり、且つ、前記２つの第１スライド溝構造と前記２つの第２スライド溝構造とは、互いに摺動可能に嵌合される。
【００２０】
また、２つのカバー部材５ｂは、それぞれ、ベースユニット１ｂの長手方向における両端を閉鎖し、且つ、各カバー部材５ｂは、カバー本体５０ｂと、カバー本体５０ｂから突出しかつ前記２つの第２係止構造４１ｂの間に密接に嵌合される突出部５１ｂとを備える。
【００２１】
図８に示すように、発光素子２１ｂからの出射光Ｓは、レンズ４０ｂを透過して所定の投光角度のある投射光Ｐ３が投射される。そのため、本考案は、ユーザが所要する投光角度に応じて異なるレンズを選ぶことができる。
【００２２】
図９に示すように、レンズユニット４ｂは、２つの凹み係止部４１０ｂにより逆さにした状態でフックユニット６ｂの下端に係止される。例えば、ユーザが天井板（壁やあらゆる物体であっても良い）に本考案によるカスタマイズ可能な組み立て式発光モジュールを設置する場合、前記２つの凹み係止部４１０ｂをそれぞれ前記天井板に予め固定されたフックユニット６ｂの２つのフック構造６０ｂに係止させることで、ベースユニット１ｂが逆さにした状態で２つのフック構造６０ｂの間に係止され、そのうち、放熱ベース１０ｂはフックユニット６ｂに内蔵され、レンズ４０ｂはフックユニット６ｂの外部に露出される。そのため、発光素子２１ｂからの出射光Ｓは、レンズ４０ｂを透過して下へ投光する方式でユーザが必要とする照明効果（所定の投光角度のある投射光Ｐ３を投射）を発生し、且つ、レンズ４０ｂの交換に合わせて異なる投光角度を得られる。
【００２３】
本考案の精神及び類似変化の実施例は、すべて本考案に含まれるべきものであり、当該分野における通常の知識を有する専門家が本考案の分野の中において容易に思案できる変化や修飾などは、いずれも本考案の主張範囲内に含まれるべきことは言うまでもないことである。
【符号の説明】
【００２４】
１ａベースユニット
１０ａ放熱ベース
１００ａ放熱フィン
１１ａ第１係止構造
１１０ａ凹み係止部
２ａ発光ユニット
２０ａ基板
２００ａ貫通孔
２１ａ発光素子
３ａねじ素子
４ａレンズユニット
４０ａレンズ
４１ａ第２係止構造
５ａカバー部材
５０ａカバー本体
５１ａ突出部
６ａフックユニット
６０ａフック構造
１ｂベースユニット
１０ｂ放熱ベース
１００ｂ放熱体
１１ｂ第１係止構造
２ｂ発光ユニット
２０ｂ基板
２００ｂ貫通孔
２１ｂ発光素子
３ｂねじ素子
４ｂレンズユニット
４０ｂレンズ
４１ｂ第２係止構造
４１０ｂ凹み係止部
５ｂカバー部材
５０ｂカバー本体
５１ｂ突出部
６ｂフックユニット
６０ｂフック構造
Ａ放熱用ゲル状物
Ｓ出射光
Ｌレンズ
Ｐ１〜Ｐ３投射光
放熱用シリコーンオイルコンパウンドは、シリコーンオイルを基油にアルミナなど熱伝導性のよい粉末を配合したグリース状の製品です。
【図１】
0003151288.tif 000003
【図２】
0003151288.tif 000004
【図３】
0003151288.tif 000005
【図４】
0003151288.tif 000006
【図５】
0003151288.tif 000007
【図６】
0003151288.tif 000008
【図７】
0003151288.tif 000009
【図８】
0003151288.tif 000010
【図９】
0003151288.tif 000011